(57)【要約】【課題】パイロットサブキャリアの数を増加させることなく急峻な伝送路歪の変化に追従して伝送路歪補償を行なうことが可能なＯＤＦＭ変調方式の無線システム及び受信器を提供すること。【解決手段】ＯＤＦＭ信号をパイロットサブキャリアの周波数が任意の周期でＯＦＤＭシンボル毎に変化する構成としておき、情報サブキャリア歪推定部１０３において、同一周波数配置のプリアンブル信号及び複数のパイロットサブキャリアの伝送路歪量を一定期間毎に算出し、その歪量算出結果を用いて、歪量を算出したパイロットサブキャリアと同じ周波数配置でかつ同じ一定期間内の各情報サブキャリアの伝送路歪量を補間推定し、情報サブキャリア歪補償部１０４において、補間推定結果を用いて各情報サブキャリアの歪補償を行なう。【選択図】  図３
2004159138.tif 000002
【特許請求の範囲】
【請求項１】
受信した無線周波信号からＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を得る受信高周波部と、該ＯＦＤＭ信号を復調して元の情報を出力するＯＦＤＭ復調器とを備え、
上記ＯＦＤＭ信号は、送信する情報をパケット化し、該パケットを相互に異なる周波数のサブキャリアからなるＯＦＤＭシンボルによって構成し、該サブキャリア毎に、先頭にプリアンブル信号を配置し、それ以降に情報を含む情報サブキャリア及びパイロットを含むパイロットサブキャリアを配置することによって生成されたものであり、
該ＯＤＦＭ信号において、パイロットサブキャリアの周波数が任意の周期でＯＦＤＭシンボル毎に変化しており、
上記ＯＦＤＭ復調器は、同一周波数に配置したプリアンブル信号及び複数のパイロットサブキャリアの伝送路歪量を算出し、該歪量算出結果を用いて、歪量を算出したパイロットサブキャリアと同じ周波数の情報サブキャリアの伝送路歪量を補間推定する情報サブキャリア歪推定部と、補間推定結果を用いて情報サブキャリアの歪補償を行なう情報サブキャリア歪補償部とを有していることを特徴とする受信器。
【請求項２】
上記ＯＦＤＭ復調器は、上記任意の周期よりも長い期間のＯＤＦＭ信号を格納する記憶部を有し、上記情報サブキャリア歪推定部が歪推定を行ない、かつ、情報サブキャリア歪補償部が歪補償を行なう情報サブキャリアが該記憶部に格納されている情報サブキャリアであることを特徴とする請求項１に記載の受信器。
【請求項３】
送信する情報にＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調を施してＯＦＤＭ信号を生成するＯＦＤＭ変調器、及び該ＯＦＤＭ信号を無線周波信号に変えて電力増幅する送信高周波部を有する送信器と、
該送信器からの無線周波信号を受信して該無線周波信号をＯＦＤＭ信号に変える受信高周波部、及び該ＯＦＤＭ信号を復調して元の情報を出力するＯＦＤＭ復調器を有する受信器とを備え、
上記ＯＦＤＭ変調器は、上記情報をパケット化し、該パケットを相互に異なる周波数のサブキャリアからなるＯＦＤＭシンボルによって構成し、該サブキャリア毎に、先頭にプリアンブル信号を配置し、それ以降に情報を含む情報サブキャリア及びパイロットを含むパイロットサブキャリアを配置することによって上記ＯＦＤＭ信号を生成するものであり、
該ＯＤＦＭ信号において、パイロットサブキャリアの周波数が任意の周期でＯＦＤＭシンボル毎に変化していることを特徴とする無線システム。
【請求項４】
上記ＯＦＤＭ復調器は、同一周波数に配置したプリアンブル信号及び複数のパイロットサブキャリアの伝送路歪量を算出し、該歪量算出結果を用いて、歪量を算出したパイロットサブキャリアと同じ周波数の情報サブキャリアの伝送路歪量を補間推定する情報サブキャリア歪推定部と、補間推定結果を用いて情報サブキャリアの歪補償を行なう情報サブキャリア歪補償部とを有していることを特徴とする請求項３に記載の無線システム。
【請求項５】
上記ＯＦＤＭ復調器は、上記任意の周期よりも長い期間のＯＤＦＭ信号を格納する記憶部を有し、上記情報サブキャリア歪推定部が歪推定を行ない、かつ、情報サブキャリア歪補償部が歪補償を行なう情報サブキャリアが該記憶部に格納されている情報サブキャリアであることを特徴とする請求項４に記載の無線システム。
【発明の詳細な説明】
【０００１】
【発明の属する技術分野】
本発明は、ＯＦＤＭ変復調方式により送信及び受信を行なう無線システムに係り、特に受信器における伝送路歪の補償に関する。
【０００２】
【従来の技術】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式は、代表的には、送信する情報をＯＦＤＭシンボルで構成されるＯＦＤＭ信号に変調して伝送する方式である。各ＯＦＤＭシンボルは、相互に直交する複数の周波数のサブキャリアからなる。送信する情報はパケット化され、パケットはシンボルで分割される。個々のシンボルが、どのＯＦＤＭシンボルのどのサブキャリアになるかがマッピングによって決められる。各サブキャリアの変調方式に、ＱＰＳＫ（Ｑｕａｄｒｉ  Ｐｈａｓｅ  Ｓｈｉｆｔ  Ｋｅｙｉｎｇ）や多値ＱＡＭ（Ｑｕａｄｒａｔｕｒｅ  Ａｍｐｌｉｔｕｄｅ  Ｍｏｄｕｌａｔｉｏｎ）等の直交変調が用いられる。サブキャリアには、情報用のほか、プリアンブルやパイロットのためのものがあり、更に、ＯＦＤＭシンボル区間にシンボル間干渉を軽減するためのガードインターバルが設けられる。このようなＯＦＤＭ変調方式は、フェージングやマルチパス（ゴースト）等に強く、デジタル放送や移動体送信、受信等を対象に実用化が進展しつつある。
【０００３】
従来のＯＦＤＭ復調方式では、受信器において、プリアンブル信号から算出した伝送路歪（振幅歪、位相歪）の歪量を受信フレーム内の全ての情報シンボルに反映させ、更にパイロットサブキャリアを用いてプリアンブル信号による歪補償に補正を加えることが行なわれる。このように、伝送路歪の補償を行なう受信器は、一般に知られている（例えば、非特許文献１参照）。
【０００４】
従来の受信器の主要構成例を図７に示す。受信器では、先ず、ＯＦＤＭ信号の無線周波数信号をアンテナ４０１により受信する。図８に、例えば、サブキャリア数が８、そのうちのパイロットサブキャリア数を２とした場合の、プリアンブル信号、パイロットサブキャリア、及び情報サブキャリアを有するＯＦＤＭ信号の構成例を示す。
【０００５】
ＯＦＤＭシンボル５０４−１に情報パケットの先頭のプリアンブル信号ＰＲｎ（ｎ：１〜８）５０１が配置され、シンボル５０４−１の後にパイロットサブキャリアＰｍ（ｍ：１〜１０）５０２、情報サブキャリアＤｋ（ｋ：１〜３０）５０３で構成されたＯＦＤＭシンボル５０４−２〜５０４−６が連続して続く。
【０００６】
受信信号（無線周波数信号）は、受信高周波部（Ｒ−ＲＦ）４０２において周波数変換され、ベースバンド帯の受信信号即ちＯＦＤＭ信号になる。ベースバンド帯の受信信号は、アナログ−デジタル（Ａ／Ｄ）変換部４０３においてデジタル信号に変換され、１ＯＦＤＭシンボル記憶部（ＳＭＥＭ）４０４に１シンボル分の情報が保管される。
【０００７】
記憶部４０４より出力した受信信号は、直交復調部（ＱＤ）４０５においてＩ成分（同相成分）とＱ成分（直交成分）に分離される。続いて、各成分は、シンボル毎に付加されているガードインターバル区間がガードインターバル除去部（ＧＩＥ）４０６によって除去されてから、フーリエ変換を行なうＦＦＴ（Ｆａｓｔ  Ｆｏｕｒｉｅｒ  Ｔｒａｎｓｆｏｒｍａｔｉｏｎ：高速フーリエ変換）部４０７に入力される。ＦＦＴ部４０７において、フーリエ変換により各成分から上述した個々のシンボル５０４が取り出される（以下では、個々のシンボルにＯＦＤＭシンボルと同じ符号を付すこととする）。
【０００８】
ＦＦＴ部４０７から出力される個々のシンボル５０４から、プリアンブル信号抽出部（ＰＡＥ）４０８においてプリアンブル信号ＰＲｎ  ５０１が抽出され、サブキャリア歪量算出部（ＳＤＣ）４０９に入力される。歪量算出部４０９は、各サブキャリアにおける歪量を算出し、その結果を歪補償部（ＤＣＭＰ）４１０に与える。
【０００９】
算出方法は、予め求めておく伝送路歪を受けていないプリアンブル信号ＰＲｎ（ｎは既出）５０１と受信したプリアンブル信号ＰＲｎ  ５０１を比較することであり、それにより伝送路歪である位相歪と振幅歪が算出される。
【００１０】
一方、シンボル５０４−２〜５０４−６内のパイロットサブキャリアＰｍ  ５０２は、パイロットサブキャリア抽出部（ＰＳＥ）４１１において抽出される。抽出されたキャリアＰｍ  ５０２から、パイロットサブキャリア平均歪量算出部（ＰＳＡＣ）４１２において平均歪量が算出され、その結果が歪補償調整部（ＤＡＤＪ）４１３に入力される。
【００１１】
歪補償部４１０において、歪量算出部４０９の歪量算出結果を基にプリアンブル信号ＰＲｎ  ５０１以降のシンボル５０４−２〜５０４−６内の情報サブキャリアＤｋ  ５０３の歪補償が行なわれる。更に、歪補償調整部４１３は、平均歪量算出部４１２の結果を基に歪補償を受けた情報サブキャリアＤｋ  ５０３の歪補正を行ない、伝送路歪の追従性を補う。
【００１２】
以上により、プリアンブル信号ＰＲｎ  ５０１の後のシンボル５０４−２〜５０４−６において、情報サブキャリアＤｋ  ５０３と同周波数配置の各プリアンブル信号ＰＲｎ  ５０１の歪量を基に、歪補償部４１０によって情報サブキャリアＤｋ  ５０３の歪補償が行なわれる。例えば、シンボル５０４−２における情報サブキャリアＤ３  ５０３に対して、同周波数配置のプリアンブル信号ＰＲ４  ５０１の歪量を基に歪補償が行なわれる。
【００１３】
続いて、シンボル５０４−２〜５０４−６の各々において、２個のパイロットサブキャリアＰｍ  ５０２の平均歪量を基に歪補償調整部４１３により、歪補償が行なわれた情報サブキャリアＤｋ  ５０３の歪補正が行なわれる。例えば、シンボル５０４−２の歪補償が行なわれた情報サブキャリアＤ３  ５０３に対して、パイロットサブキャリアＰ１及びＰ２  ５０２の平均歪量を基に歪補正が行なわれる。
【００１４】
歪補償された情報サブキャリアＤｋ  ５０３即ち受信信号は、復号部（ＤＥＣ）４１４において復号され（復調及びデマッピング）、続いて誤り訂正部（ＥＣ）４１５において符号誤りが訂正され、復元された情報となって出力端子４１６より出力される。
【００１５】
ガードインターバル除去部４０６から復号部４１４に至る各部によって、ＯＦＤＭ復調部４１７が構成される。
【００１６】
【非特許文献１】
平成１１年１１月３０日株式会社リアライズ社発行  佐藤拓朗著「ＯＦＤＭ技術の基礎から応用まで」第１０８頁、図４．８
【００１７】
【発明が解決しようとする課題】
従来は、伝送路歪の補償をパケットの先頭にのみ配置されるプリアンブル信号ＰＲ  ５０１の歪量を基に行なっているため、急峻な伝送路変動が発生した場合に、追従が困難になる。なお、プリアンブル信号ＰＲ  ５０１の歪量による歪補償に対して、パイロットサブキャリアＰ  ５０２の歪量による補正がシンボル毎に行なわれるが、パイロットサブキャリアＰ  ５０２の周波数配置位置が固定のため、パイロットサブキャリアＰ  ５０２は情報サブキャリアＤ  ５０３と周波数が一致しない。補正がそのような周波数が異なるパイロットサブキャリアＰ  ５０２の歪量によって行なわれるので、十分な補正精度が得られず、結局、伝送路変動に対して良好な追従性が得られない。
【００１８】
そこで、補正精度を向上させるためにパイロットサブキャリアＰ  ５０２の配置数を増やすことが考えられるが、シンボル５０４内の情報サブキャリアＤ  ５０３の数が減少し、シンボル５０４の情報量が低下することとなる。
【００１９】
本発明の目的は、パイロットサブキャリアの数を増加させることなく急峻な伝送路歪の変化に追従して伝送路歪補償を行なうことが可能な無線システム及び受信器を提供することにある。
【００２０】
【課題を解決するための手段】
本発明は、上記目的を達成するために、ＯＤＦＭ信号をパイロットサブキャリアの周波数が任意の周期でＯＦＤＭシンボル毎に変化する構成としておき、同一周波数に配置したプリアンブル信号及び複数のパイロットサブキャリアの伝送路歪量を算出し、その歪量算出結果を用いて、歪量を算出したパイロットサブキャリアと同じ周波数配置の情報サブキャリアの伝送路歪量を補間推定し、補間推定結果を用いて情報サブキャリアの歪補償を行なうことを特徴とする。
【００２１】
そのような手段を用いることにより、情報サブキャリアと同じ周波数のパイロットサブキャリアを使った歪補償が頻繁に行なわれるようになるので、ＯＦＤＭシンボル内のパイロットサブキャリアの数を増やすことなく、伝送路歪補償の追従性を向上させることができる。
【００２２】
【発明の実施の形態】
以下、本発明に係る無線システム及び受信器を図面に示した発明の実施の形態を参照して更に詳細に説明する。
【００２３】
パイロットサブキャリアの周波数を一定の周期でＯＦＤＭシンボル毎に変化させて構成したＯＦＤＭ信号を図１に示す。
【００２４】
サブキャリア数が８、そのうちのパイロットサブキャリア数を２とした場合の構成であり、サブキャリア毎に、先頭のＯＦＤＭシンボル５０４−１にプリアンブル信号ＰＲｎ（ｎ：１〜８）５０１が配置され、それ以降にパイロットサブキャリアＰｍ（ｍ：１＝１０）５０２及び情報サブキャリアＤｋ（ｋ：１〜３０）５０３を配置したＯＦＤＭシンボル５０４−２〜５０４−６が連続して続く。なお、本発明で採用するＯＦＤＭ信号の構成は、図１に示したものに限定せず、任意の周期でＯＦＤＭシンボル毎にパイロットサブキャリアが変化するその他の構成が採用可能である。
【００２５】
ＯＦＤＭ変調方式により情報を図１に示すＯＦＤＭ信号にして送信する送信器の構成を図２に示し、同送信器の送信信号を受信して歪補償を行ない、元の情報を復元する受信器の構成を図３に示す。本発明の無線システムは、上記送信器及び受信器により構成される。
【００２６】
図２において、２０２は、入力端子２０１から入力した情報をパケット化してそのシンボルのマッピングを行ない、Ｉ成分とＱ成分に分けて出力するマッピング部（ＭＰ）、２０３は、パイロット信号のサブキャリアを生成し、Ｉ成分とＱ成分に分けて出力するパイロットサブキャリア生成部（ＰＳＧ）、２０４は、マッピング部２０２が出力するマッピングされたシンボルにＩ成分とＱ成分毎に逆フーリエ変換を施し、更にパイロットサブキャリア生成部２０３からの出力信号を加えてＯＦＤＭ信号を出力するＩＦＦＴ（逆高速フーリエ変換）部、２０５は、ＩＦＦＴ部２０４の出力信号即ちＯＦＤＭ信号のＯＦＤＭシンボル毎にガードインターバルを付加するガードインターバル付加部（ＧＩＡ）、２０６は、ガードインターバル付加部２０５からのＩ成分、Ｑ成分を単一の信号に合成する直交変調器（ＱＭ）、２０７は、直交変調器２０６の出力信号（ベースバンド帯）を周波数変換によって無線周波信号にし、同無線周波信号を電力増幅する送信高周波部（Ｔ−ＲＦ）である。また、マッピング部２０２、パイロットサブキャリア生成部２０３、ＩＦＦＴ部２０４及びガードインターバル付加部２０５によってＯＦＤＭ変調器２０９が構成される。
【００２７】
上記構成により、ＩＦＦＴ部２０４から、図１に示す構成のＯＦＤＭ信号が得られる。また、送信高周波部２０７が出力する無線周波信号は、アンテナ２０８から送信される。
【００２８】
図３に示す受信器は、上記の送信器から送信される無線周波信号を受信してＯＦＤＭ復調を行なう。図３において、４０２は、アンテナ４０１から入力した無線周波信号を周波数変換によってベースバンド帯の受信信号即ちＯＦＤＭ信号にする受信高周波部（Ｒ−ＲＦ）、４０３は、受信高周波部４０２が出力する受信信号にアナログ−デジタル変換を施すＡ／Ｄ変換器、４０４は、Ａ／Ｄ変換器４０３が出力するデジタル受信信号のＯＦＤＭシンボルの１シンボル分を記憶する１ＯＦＤＭシンボル記憶部（ＳＭＥＭ）、４０５は、記憶部４０４から読み出された受信信号をＩ成分とＱ成分に分離する直交復調器（ＱＤ）、４０６は、Ｉ成分とＱ成分に分離された受信信号からガードインターバルを除去するガードインターバル除去部（ＧＩＥ）、４０７は、ガードインターバル除去部４０６が出力するＩ成分とＱ成分にそれぞれフーリエ変換を施し、マッピングされている個々のシンボル５０４（Ｉ成分とＱ成分）を出力するＦＦＴ部を示す。
【００２９】
更に、図３において、１０１は、ＦＦＴ部４０７が出力するマッピングされている個々のシンボル５０４を図４に示す構成で保管する歪量補間推定用記憶部（ＤＭＥＭ）である。図４において、縦軸方向は、同一周波数配置のサブキャリア情報、横軸方向は、同一ＯＦＤＭシンボル情報を表す。
【００３０】
続いて、図３において、１０２は、記憶部１０１が保管するシンボル５０４からプリアンブル信号ＰＲｎ  ５０１及びパイロットサブキャリアＰｍを抽出するプリアンブル信号−パイロットサブキャリア抽出部（ＰＰＥ）、１０３は、抽出されたプリアンブル信号ＰＲｎ  ５０１及びパイロットサブキャリアＰｍ  ５０２からそれぞれの伝送路歪（位相歪と振幅歪）の歪量Ｃを算出し、算出した歪量Ｃから情報サブキャリアＤｋ  ５０３の伝送路歪（位相歪と振幅歪）の歪量ＣＤを推定する情報サブキャリア歪推定部（ＩＳＤＥ）、１０４は、得られた歪量ＣＤを基に、各々対応する各情報サブキャリアＤｋ５０３に対して歪補償を行なう情報サブキャリア歪補償部（ＩＳＤＣ）、４１４は、歪補償された情報サブキャリアＤｋ  ５０３を復号する（復調及びデマッピング）ことにより、元の情報を復元する復号器（ＤＥＣ）、４１５は、復元した情報に対して符号誤り訂正を施す誤り訂正部（ＥＣ）である。誤り訂正により信頼性を確保した情報が出力端子４１６より出力される。
【００３１】
本実施形態において、ガードインターバル除去部４０６から復号器４１４に至る各部によってＯＦＤＭ復調器１０７が構成される。
【００３２】
情報サブキャリア歪推定部１０３は、歪量Ｃを算出する歪量算出部（ＤＣ）１０５及び歪量ＣＤを推定する歪量推定部（ＤＩＥ）１０６から構成される。
【００３３】
歪量算出部１０５は、図４に示す構成の同一周波数配置毎に、１個のプリアンブル信号ＰＲｎ  ５０１及び２個のパイロットサブキャリアＰｍ  ５０２のそれぞれの歪量Ｃｊ（ｊ：１〜３）を３個算出する。算出は、予め求めておく伝送路歪を受けていないプリアンブル信号ＰＲｎ  ５０１及びパイロットサブキャリアＰｍ  ５０２と受信したプリアンブル信号ＰＲｎ  ５０１及びパイロットサブキャリアＰｍ  ５０２とを比較することによって行なわれる。
【００３４】
歪量推定部１０６は、歪量Ｃｊを算出したのと同じ周波数配置の各情報サブキャリアＤｋ  ５０３の各歪量ＣＤｐ（ｐ：１〜６）を補間推定し算出する。
【００３５】
補間推定方法を説明するための例として、図４に示すプリアンブル信号ＰＲ４  ５０１を先頭にした同一周波数配置のサブキャリア情報Ｄｋ  ５０３を用いた場合を取り上げる。補間を一次関数で行なう一次補間方法を図６ａに示し、二次関数で行なう二次補間方法を図６ｂに示す。補間は、一次、二次のいずれでもよいが、二次の方が高精度の推定が得られる。
【００３６】
図６ａ、図６ｂにおいて、Ｃｊ（ｊ：１〜３）は、プリアンブル信号ＰＲ４  ５０１、パイロットサブキャリアＰ７，Ｐ１５  ５０２のそれぞれの歪量、ＣＤｐ（ｐ：１〜６）は、サブキャリア情報Ｄ３，Ｄ９，Ｄ１５，Ｄ２７，Ｄ３３，Ｄ３９  ５０３のそれぞれの推定歪量を示す。
【００３７】
図６ａに示す補間方法では、歪量Ｃ１，Ｃ２を基に補間直線６０１を算出し、直線６０１に準じた歪量ＣＤ１，ＣＤ２，ＣＤ３を算出して一次補間を行なう。同様に歪量Ｃ２，Ｃ３を基に補間直線６０１を算出し、直線６０１に準じた歪量ＣＤ４，ＣＤ５，ＣＤ６を算出して一次補間を行なう。
【００３８】
図６ｂに示す補間方法では、歪量Ｃ１，Ｃ２，Ｃ３を基に補間曲線６０２を算出し、曲線６０２に準じた歪量ＣＤ１，ＣＤ２，ＣＤ３，ＣＤ４，ＣＤ５，ＣＤ６を算出して二次補間を行なう。
【００３９】
上記の歪補償の処理終了後に、図４に示した保管の構成を図５の構成に更新し、同様の処理を行なう。このように、一定期間（本実施形態では５シンボル）毎に歪補償の処理が行なわれる。
【００４０】
以上、本実施形態では、従来は周波数が固定されて歪補償の補正にのみ用いられていたパイロットサブキャリアの周波数を任意の周期でＯＦＤＭシンボル毎に変化させることにより、同一周波数上に頻繁にパイロットサブキャリアが出現するようになる。そのようなパイロットサブキャリアをプリアンブル信号と共に歪量の算出に用いるので、伝送路歪の急峻な変化に追従可能な歪補償を実現することができる。
【００４１】
【発明の効果】
本発明によれば、ＯＦＤＭ変調方式を採用する無線システムにおいて、１ＯＦＤＭシンボル当りのパイロットサブキャリア数を増やすことなく伝送路歪を推定することが可能になり、適切な伝送路歪補償を行なうことが可能になるため、従来と比較して伝送路歪の変化への追従性を向上させることができる。また、１ＯＦＤＭシンボル当りのパイロットサブキャリア数が増加しないため、１ＯＦＤＭシンボル当りの情報量の低下を防ぐことができる。
【図面の簡単な説明】
【図１】本発明の無線システムで用いるＯＦＤＭ信号を説明するための周波数構成図。
【図２】本発明の無線システムを構成する送信器を説明するための構成図。
【図３】本発明の無線システムを構成する受信器を説明するための構成図。
【図４】図３に示した受信器において記憶されるシンボルの例を説明するための構成図。
【図５】図３に示した受信器において記憶されるシンボルの別の例を説明するための構成図。
【図６】本発明の歪量補間推定方法を説明するための曲線図。
【図７】従来の受信器の例を説明するための構成図。
【図８】従来のＯＦＤＭ信号を説明するための周波数構成図。
【符号の説明】
１０１…歪量補間推定用記憶部、１０２…プリアンブル信号−パイロットサブキャリア抽出部、１０３…情報サブキャリア歪推定部、１０４…情報サブキャリア歪補償部、１０５…歪量算出部、１０６…歪量推定部、１０７…ＯＦＤＭ復調部、２０１…入力端子、２０２…マッピング部、２０３…パイロットサブキャリア生成部、２０４…ＩＦＦＴ（逆高速フーリエ変換）部、２０５…ガードインターバル付加部、２０６…直交変調器、２０７…送信高周波部、２０８，４０１…アンテナ、２０９…ＯＦＤＭ変調器、４０２…受信高周波部、４０３…アナログ−デジタル変換部、４０４…１ＯＦＤＭシンボル記憶部、４０５…直交復調部、４０６…ガードインターバル除去部、４０７…ＦＦＴ（高速フーリエ変換）部、４１４…復号部、４１５…誤り訂正部、４１６…出力端子。
【図１】
2004159138.tif 000003
【図２】
2004159138.tif 000004
【図３】
2004159138.tif 000005
【図４】
2004159138.tif 000006
【図５】
2004159138.tif 000007
【図６】
2004159138.tif 000008
【図７】
2004159138.tif 000009
【図８】
2004159138.tif 000010